(57)【特許請求の範囲】
【請求項１】
肌対向面側に表面シート、非肌対向面側に裏面シート及びそれら両シート間に液保持性の吸収体を備えた縦長の吸収性本体と、該吸収性本体の長手方向に沿う両側部に形成された一対の立体ギャザーと、該吸収性本体における装着者の体液排泄部に当接する排泄部領域より後方の後方領域の両側部それぞれから幅方向外方に延出する一対の後方フラップとを有する吸収性物品であって、
前記吸収性物品を長手方向に折り曲げて個装する際に形成される個装折り線を長手方向に間欠的に設けており、該個装折り線は、前記排泄部領域を跨いで該排泄部領域より前方に１本の前方領域個装折り線及び該排泄部領域の後端近傍に１本の後方領域第１個装折り線を有し、さらに後方の前記後方領域に１本の後方領域第２個装折り線を有しており、
一対の前記立体ギャザーそれぞれは、前記吸収性本体の側部の肌対向面側に該吸収性本体の全長に亘って設けられたサイドシートと、該サイドシートの自由端部に伸長状態で固定された弾性部材とを備え、該サイドシートにおける該弾性部材の前方端部の前記表面シートとの固定部が、前記前方領域個装折り線よりも前方に位置し、該サイドシートにおける該弾性部材の後方端部の前記表面シートとの固定部が、前記後方領域第２個装折り線よりも後方に位置しており、
一対の前記立体ギャザーそれぞれは、前記弾性部材の収縮により前記サイドシートの前記自由端部が前記表面シートから離間して形成されており、
前記サイドシートにおける前記弾性部材は、該弾性部材の前方端部の前記固定部と該弾性部材の後方端部の前記固定部との間において、前記表面シートと固定されておらず、
前記立体ギャザーは、前記吸収性本体の長手方向に亘って連続して形成されており、
前記弾性部材の前方端部の前記固定部と前記前方領域個装折り線との長手方向の間隔は、前記後方領域第２個装折り線と前記弾性部材の後方端部の前記固定部との長手方向の間隔以下である吸収性物品。
【請求項２】
肌対向面側に表面シート、非肌対向面側に裏面シート及びそれら両シート間に液保持性の吸収体を備えた縦長の吸収性本体と、該吸収性本体の長手方向に沿う両側部に形成された一対の立体ギャザーと、該吸収性本体における装着者の体液排泄部に当接する排泄部領域より後方の後方領域の両側部それぞれから幅方向外方に延出する一対の後方フラップとを有する吸収性物品であって、
前記吸収性物品を長手方向に折り曲げて個装する際に形成される個装折り線を長手方向に間欠的に設けており、該個装折り線は、前記排泄部領域を跨いで該排泄部領域より前方に１本の前方領域個装折り線及び該排泄部領域の後端近傍に１本の後方領域第１個装折り線を有し、さらに後方の前記後方領域に１本の後方領域第２個装折り線を有しており、
一対の前記立体ギャザーそれぞれは、前記吸収性本体の側部の肌対向面側に該吸収性本体の全長に亘って設けられたサイドシートと、該サイドシートの自由端部に伸長状態で固定された弾性部材とを備え、該サイドシートにおける該弾性部材の前方端部の前記表面シートとの固定部が、前記前方領域個装折り線よりも前方に位置し、該サイドシートにおける該弾性部材の後方端部の前記表面シートとの固定部が、前記後方領域第２個装折り線よりも後方に位置しており、
一対の前記立体ギャザーそれぞれは、前記弾性部材の収縮により前記サイドシートの前記自由端部が前記表面シートから離間して形成されており、
前記サイドシートにおける前記弾性部材は、該弾性部材の前方端部の前記固定部と該弾性部材の後方端部の前記固定部との間において、前記表面シートと固定されておらず、
前記立体ギャザーは、前記吸収性本体の長手方向に亘って連続して形成されており、
前記弾性部材の前方端部の前記固定部と前記前方領域個装折り線との長手方向の間隔は、前記後方領域第２個装折り線と前記弾性部材の後方端部の前記固定部との長手方向の間隔よりも短い吸収性物品。
【請求項３】
前記弾性部材の前方端部の前記固定部と前記前方領域個装折り線との長手方向の間隔は、１０〜２５ｍｍである請求項１又は２に記載の吸収性物品。
【請求項４】
前記吸収体は、前記排泄部対向領域に中高領域を備えている請求項１〜３の何れか１項に記載の吸収性物品。
【請求項５】
一対の前記後方フラップそれぞれの非肌対向面側には、該後方フラップを下着に固定する下着固定用粘着部が配されており、該下着固定用粘着部は、前記後方領域第２個装折り線よりも前方に位置している請求項１〜４の何れか１項に記載の吸収性物品。
【請求項６】
前記サイドシートは、前記弾性部材の前方端部の前記固定部よりも前方において、及び該弾性部材の後方端部の前記固定部よりも後方において、それぞれ、波状のシール線により前記表面シートに固定されている請求項１〜５の何れか１項に記載の吸収性物品。
【請求項７】
前記吸収性物品は生理用ナプキンである請求項１〜６の何れか１項に記載の吸収性物品。
【発明の詳細な説明】
【技術分野】
【０００１】
本発明は、生理用ナプキン、女性用失禁パッド等の吸収性物品に関する。
【背景技術】
【０００２】
一般に、一対の後方フラップを有するヒップガード付きの生理用ナプキンは、後ろ漏れを防止することを目的とした製品長が長いナプキン、好ましくは夜用のナプキンとして用いられる。夜用のナプキンには、フィット感を向上させる観点から所謂スリムナプキンがラインナップされている。このような製品長が長いスリムナプキンにおいては、個装する際に形成される個装折り線を利用したナプキンのフィット感を妨げ難い立体ギャザーを設けることが好ましい。このような立体ギャザーを、経血流れがどの部位で起こっても横漏れを防止する観点から、製品の略全長に亘って設けることが望ましいが、立体ギャザーの長さが長くなると、ヨレや起立性の低下が原因で、横漏れを防止することが難しい。また、製品長が長くなると、長い生理用ナプキンの特に後部で、使用時にめくれ等が起こり易くフィット感が低下し易い。
【０００３】
ところで、特許文献１には、三つ折りにした生理用ナプキンにおいて、三つ折りにより形成される２本の屈曲線が、両側部に設けられたバリヤーフラップの弾性伸縮部を横切っていることを特徴とする生理用ナプキンについて記載されている。
しかし、特許文献１に記載の技術は、三つ折り（屈曲線が２本）という製品長の短い生理用ナプキンを想定したものであり、特許文献１には、四つ折り（屈曲線が３本）以上ある製品長の長い生理用ナプキンについて何ら記載されていない。
【先行技術文献】
【特許文献】
【０００４】
【特許文献１】特開平８−６６０号公報
【発明の概要】
【発明が解決しようとする課題】
【０００５】
従って、本発明の課題は、前述した製品長の長い吸収性物品の有する欠点を解消し得る吸収性物品を提供することにある。
【課題を解決するための手段】
【０００６】
本発明は、肌対向面側に表面シート、非肌対向面側に裏面シート及びそれら両シート間に液保持性の吸収体を備えた縦長の吸収性本体と、該吸収性本体の長手方向に沿う両側部に形成された一対の立体ギャザーと、該吸収性本体における装着者の体液排泄部に当接する排泄部領域より後方の後方領域の両側部それぞれから幅方向外方に延出する一対の後方フラップとを有する吸収性物品であって、前記吸収性物品を長手方向に折り曲げて個装する際に形成される個装折り線を長手方向に間欠的に設けており、該個装折り線は、前記排泄部領域を跨いで該排泄部領域より前方に１本の前方領域個装折り線及び該排泄部領域の後端近傍に１本の後方領域第１個装折り線を有し、さらに後方の前記後方領域に１本の後方領域第２個装折り線を有しており、一対の前記立体ギャザーそれぞれは、前記吸収性本体の側部の肌対向面側に該吸収性本体の全長に亘って設けられたサイドシートと、該サイドシートの自由端部に伸長状態で固定された弾性部材とを備え、該サイドシートにおける該弾性部材の前方端部の前記表面シートとの固定部が、前記前方領域個装折り線よりも前方に位置し、該サイドシートにおける該弾性部材の後方端部の前記表面シートとの固定部が、前記後方領域第２個装折り線よりも後方に位置しており、一対の前記立体ギャザーそれぞれは、前記弾性部材の収縮により前記サイドシートの前記自由端部が前記表面シートから離間して形成されている吸収性物品を提供するものである。
【発明の効果】
【０００７】
本発明の吸収性物品によれば、製品の略全長に亘って設けた立体ギャザーがヨレ難く起立性も低下し難く、横漏れを防止できる。また、立体ギャザーが使用時にめくれ難く、フィット感も低下し難い。
【図面の簡単な説明】
【０００８】
【図１】図１は、本発明の実施形態である生理用ナプキンの斜視図である。
【図２】図２は、図１に示す生理用ナプキンを伸長した状態を表面シート側から見た平面図である。
【図３】図３は、図２のＹ１−Ｙ１線断面図である。
【図４】図４は、立体ギャザーの高さの測定方法を説明する説明図である。
【発明を実施するための形態】
【０００９】
以下本発明をその好ましい実施形態に基づき図面を参照しながら説明する。
本発明の吸収性物品の実施形態である生理用ナプキン１（以下、ナプキン１ともいう）は、図１〜図３に示すように、肌対向面側に表面シート２１、非肌対向面側に裏面シート２２及びそれら両シート２１，２２間に液保持性の吸収体２３を備えた縦長の吸収性本体２を有している。また、図１，図２に示すように、ナプキン１は、吸収性本体の長手方向Ｘに沿う両側部２Ｓ，２Ｓに形成された一対の立体ギャザー３，３と、吸収性本体２における装着者の体液排泄部（膣口等）に当接する排泄部領域Ａより後方の後方領域Ｃの両側部２Ｓ，２Ｓそれぞれから幅方向Ｙ外方に延出する一対の後方フラップ４，４とを有している。また、ナプキン１は、図１，図２に示すように、吸収性本体２の排泄部領域Ａの両側部２Ｓ，２Ｓそれぞれから幅方向Ｙ外方に延出する一対のウイング部５，５を有している。
ナプキン１は、図２に示すように、ナプキン１の長手方向に延びる中心線ＣＬに対して左右対称に形成されている。
【００１０】
本明細書において、「肌対向面」とは、吸収性本体２などを構成する各部材の表裏両面のうち、装着時に装着者の肌側に配される面であり、「非肌対向面」とは、吸収性本体２などを構成する各部材の表裏両面のうち、装着時に装着者の肌側とは反対側に向けられる面である。
また図中に示すＸ方向とは、ナプキン１又は吸収性本体２の長手方向と同方向であり、中心線ＣＬに平行な方向である。また、図中に示すＹ方向とは、ナプキン１又は吸収性本体２の幅方向と同方向であり、中心線ＣＬに垂直な方向である。
また、吸収性本体２の排泄部領域Ａとは、装着者の体液排泄部（膣口等）に当接する領域であるが、ナプキン１のように一対のウイング部５を有する生理用ナプキンにおいては、両側部２Ｓ，２Ｓにウイング部５を有する領域でもある。吸収性本体２における、排泄部領域Ａよりも前方に位置する領域（生理用ナプキン装着時に排泄部領域Ａよりも装着者の前方に配される領域）を前方領域Ｂといい、排泄部領域Ａよりも後方に位置する領域（生理用ナプキン装着時に排泄部領域Ａよりも装着者の後方に配される領域）を後方領域Ｃという。
【００１１】
本実施形態のナプキン１について更に詳述する。
一対の後方フラップ４，４を有するナプキン１は、主に夜間用の生理用ナプキンとして用いられる。夜間用の生理用ナプキンは、その装着時間が長時間に亘るため装着中に排泄される液の量も多くなり、多量の液を吸収し保持する高い吸収力及び保持力が必要とされる。そのため、後方フラップ４を有するナプキン１は、ある程度の大きさを有していることが好ましく、その長さは、好ましくは２７ｃｍ以上であり、更に好ましくは３０ｃｍ以上である。
後方フラップ４は臀部を覆うように広げたままで下着内面に装着される。
【００１２】
吸収性本体２は、図１に示すように、液透過性の表面シート２１、液不透過性又は撥水性の裏面シート２２及び両シート２１，２２間に介在配置された液保持性の吸収体２３を備えている。
吸収体２３は、図２に示すように、前方領域Ｂから後方領域Ｃに亘って延在しており、平面視で、前後縁部が丸みを帯びた略長方形状を有している。
表面シート２１は、図２に示すように、吸収体２３の上面の全域を被覆している。表面シート２１の前後端部は、丸みを帯びており、吸収体２３の前後端部それぞれから長手方向Ｘに延出している。表面シート２１の両側縁部は、長手方向Ｘに沿う直線状であり、吸収体２３の両側縁部それぞれから幅方向Ｙに若干延出しているが、裏面シート２２の側縁部よりは中心線ＣＬ寄りに離間している。
【００１３】
裏面シート２２は、吸収体２３の下面の全域を被覆している。裏面シート２２の前後端部は、丸みを帯びており、吸収体２３の前後端部それぞれから長手方向Ｘに延出している。裏面シート２２の両側縁部は、吸収体２３の両側縁部それぞれから幅方向Ｙに延出している。
また、裏面シート２２の非肌対向面側には、吸収性本体２とショーツ等の下着のクロッチ部の上面（内面）とを止着するためのズレ止め剤（図示せず）が設けられている。ズレ止め剤は粘着剤等から形成される。
【００１４】
吸収体２３は、ナプキン１においては、図２，図３に示すように、上部吸収体２３１と、上部吸収体２３１の非肌対向面側に配される下部吸収体２３２とからなる２層構造を有している。上部吸収体２３１は、平面視で、下部吸収体２３２よりも長さ及び幅が短くなっており、下部吸収体２３２には接合されていない。また、上部吸収体２３１は、排泄部領域Ａに配されており、上部吸収体２３１は、吸収性本体２の排泄部領域Ａに、いわゆる中高領域を形成する。このように、ナプキン１においては、吸収体２３に中高領域が形成されているので、中高領域を形成する上部吸収体２３１の長手方向Ｘに沿う両側部を起点に剛性差が発生し、吸収体２３（下部吸収体２３２）が幅方向Ｙに折れ曲がり易く、後述する立体ギャザー３が吸収性本体２の長手方向Ｘに亘って連続して形成され易い。
【００１５】
ナプキン１は、上述したように主に夜間用の生理用ナプキンであり、夜間用の生理用ナプキンの中でも、特にフィット感・柔軟性の向上を考慮した、厚みの薄い薄型ナプキン（スリムナプキン）である。ナプキン１の厚みは主に吸収体２３の厚みが寄与している。
上述したように、ナプキン１は、上部吸収体２３１により吸収性本体２の排泄部領域Ａに中高領域を有しているが、中高領域（上部吸収体２３１と下部吸収体２３２とを重ねた領域）における厚みが、好ましくは４．５ｍｍ以下、更に好ましくは３．０ｍｍ以下である。また、吸収性本体２の厚みは、前方領域Ｂ及び後方領域Ｃ（下部吸収体２３２のみの領域）において、好ましくは３．０ｍｍ以下、更に好ましくは２．０ｍｍ以下である。吸収性本体２の厚みがこのような範囲に設定されていると、装着時に違和感が生じ難く、身体の前後方向に沿って更にフィットし易くなる。
【００１６】
吸収性本体２の厚みは、以下の測定方法により測定される。
〔厚みの測定方法〕
製品（生理用ナプキン全体）を平らな場所にシワや折れ曲がりがないように静置し、吸収性本体２の排泄部領域Ａ、前方領域Ｂ又は後方領域Ｃにおける吸収体が配されている領域の上面に、５ｃＮ／ｃｍ2の荷重を掛け、その状態下での厚みを測定する。製品装着時の装着圧は、身体の部位、個人差、状態（座っている／動いている）等により異なるが、排泄部領域Ａの中央域では、ショーツ等の衣類を装着する以外に外圧が掛らない状態において、無荷重〜５ｃＮ／ｃｍ2の荷重となるため、この荷重（５ｃＮ／ｃｍ2）での測定を行なった。厚みの測定には、厚み計としてＰＥＡＣＯＣＫ  ＤＩＡＬ  ＰＲＩＧＨＴ  ＧＡＵＧＥＳ  Ｒ５−Ｃ（ＯＺＡＫＩ  ＭＦＧ．ＣＯ．ＬＴＤ．製）を用いた。また、厚み計の先端部と製品との間の測定部分にプレート（厚さ５ｍｍ程度のアクリル板）を配置して、その荷重が５ｃＮ／ｃｍ2となるようにプレートの大きさを調整する。プレートの形状は、円形又は正方形とする。
【００１７】
表面シート２１には、図１，図２に示すように、表面シート２１から下部吸収体２３２までが一体的に圧密化されて形成された圧搾溝２４が設けられている。圧搾溝２４は、高い圧搾により深く凹んだ部分と低い圧搾により浅く凹んだ部分とからなる段構造を有している。ナプキン１の圧搾溝２４は、図２に示すように、表面シート２１の上面における、後述するサイドシート３１によって被覆されていない領域に形成されており、上部吸収体２３１の外周縁よりも外方において上部吸収体２３１を包囲するように形成されている中央圧搾溝２４１と、中央圧搾溝２４１よりも前方側に形成されている前方圧搾溝２４２と、中央圧搾溝２４１よりも後方側に形成されている後方圧搾溝２４３とを有している。中央圧搾溝２４１は、長手方向Ｘの後端に向かって先細り形状に形成されている。前方圧搾溝２４２は、吸収性本体２の長手方向Ｘの前端に向かって凸に湾曲した略半円弧状であり、後方圧搾溝２４３は、吸収性本体２の長手方向Ｘの後端に向かって凸に湾曲した略半円弧状である。前方圧搾溝２４２及び後方圧搾溝２４３は、中央圧搾溝２４１の外方に設けられており、前方圧搾溝２４２の長手方向Ｘの後端及び後方圧搾溝２４３の長手方向Ｘの前端が中央圧搾溝２４１と連結されて閉じた環を形成している。弾性部材３２の前後端部の位置は、よりギャザーの起立性を高めるために中央圧搾溝２４１の前端より前方、後端より後方に位置している。
【００１８】
後方フラップ４は、図２に示すように、後方領域Ｃにおいて吸収性本体２の側部２Ｓから延出している。後方フラップ４は、使用時においては、吸収性本体２から延出した状態で折り返されることなくショーツ等の下着の内面に装着されて用いられるものである。ただし、後方フラップ４は、個装時は生理用ナプキンの個装状態にコンパクトにするために吸収性本体２の上面側又は下面側に折り返してもよい。ナプキン１の後方フラップ４は、後方領域Ｃに配されており、排泄部領域Ａから後方領域Ｃに向かって幅方向Ｙの幅が漸次拡がる形状を有している。
【００１９】
また、後方フラップ４の非肌対向面側には、下着固定用粘着部４１が設けられている。下着固定用粘着部４１によって、使用時に、ショーツの内面に配された後方フラップ４を、ショーツの内面に止着できるようになっている。後方フラップ４の下着固定用粘着部４１は、図２に示すように、Ｘ方向に長い長方形状に形成されている。
【００２０】
ウイング部５は、図２に示すように、排泄部領域Ａにおいて吸収性本体２の側部２Ｓから延出している。ウイング部５は、ショーツ等の下着のクロッチ部の下面（外面）側に折り返されて用いられるものである。ウイング部５は、図２に示すように、平面視で、下底（上底よりも長い辺）が中心線ＣＬ側に位置する略台形形状を有している。
また、ウイング部５の非肌対向面側には、矩形状のズレ止め剤５１が設けられている。ズレ止め剤５１によって、使用時に、ショーツのクロッチ部の下面（外面）側に折り返されたウイング部５を、クロッチ部に止着できるようになっている。尚、ナプキン１はウイング部５を備えるタイプであるが、備えないタイプであってもよい。
【００２１】
ナプキン１においては、図２に示すように、表面シート２１、裏面シート２２及び後述するサイドシート３１が、それぞれの周縁部に沿って、熱融着によって接合されており、ナプキン１の周縁部に周縁シール部６を形成している。周縁シール部６を形成する熱融着法としては、熱エンボス加工、超音波エンボス加工であってもよく、ホットメルト等の接着剤等により形成されていてもよく、それらの併用であってもよい。
【００２２】
ナプキン１は、ナプキン１を長手方向Ｘに折り曲げて個装する際に形成される個装折り線を３本長手方向Ｘに間欠的に設けている。このような個装折り線は、図２に示すように、排泄部領域Ａを跨いで排泄部領域Ａより前方に１本の前方領域個装折り線Ｌ１及び排泄部領域Ａの長手方向Ｘの後端近傍に１本の後方領域第１個装折り線Ｌ２を有し、さらに後方の後方領域Ｃに１本の後方領域第２個装折り線Ｌ３を有している。即ち、ナプキン１は製品長が長いため、図２に示すように、３本の個装折り線Ｌ１，Ｌ２，Ｌ３で折り曲げられてコンパクトに４つ折り状態に折り曲げられて個装される形態である。図２に示すように、前方領域個装折り線Ｌ１は、排泄部前方の折れ線であり、後方領域第２個装折り線Ｌ３は、最も後方寄りの折れ線であり、後方領域第１個装折り線Ｌ２は、前方領域個装折り線Ｌ１と後方領域第２個装折り線Ｌ３との間に配される折れ線であり、何れの折れ線Ｌ１，Ｌ２，Ｌ３も、Ｙ方向に平行に延在している。
【００２３】
後方領域第１個装折り線Ｌ２は、ナプキン１のように一対のウイング部５，５を備える場合には、ウイング部５を横断しないように、ウイング部５よりも後方に配されていることが好ましく、ウイング部５の付け根近傍に前方領域個装折り線Ｌ１と後方領域第１個装折り線Ｌ２とが配されていることが好ましい。ウイング部５を有しない生理用ナプキンの場合には、前方領域個装折り線Ｌ１と後方領域第１個装折り線Ｌ２とが排泄部領域Ａを横断しないように、排泄部領域Ａを挟むように排泄部領域Ａより前方寄りの前方領域個装折り線Ｌ１と排泄部領域Ａより後方の後方領域第１個装折り線Ｌ２とが配されていることが好ましい。上述したように、ナプキン１においては、図２に示すように、吸収体２３は、排泄部領域Ａに中高領域（上部吸収体２３１）を備えているので、中高領域（上部吸収体２３１）は、前方寄りの前方領域個装折り線Ｌ１と前方領域個装折り線Ｌ１に隣り合う後方領域第１個装折り線Ｌ２との間に位置している。該後方領域第１個装折り線Ｌ２は、排泄部領域Ａを跨いだ排泄部領域Ａ後側近傍に形成される。近傍とは、中高部を有する場合は、中高い段差から０〜２０ｍｍ、好ましくは１〜１０ｍｍ程度の長手方向領域を言う。
【００２４】
一対の立体ギャザー３，３それぞれは、吸収性本体２の側部２Ｓの肌対向面側に吸収性本体２の全長に亘って設けられたサイドシート３１と、サイドシート３１の自由端部３１ｆに伸長状態で固定された弾性部材３２とを備えている。詳述すると、サイドシート３１は、図２に示すように、吸収性本体２の肌対向面側の側部２Ｓを被覆しており、吸収性本体２の肌対向面側における側部２Ｓに、吸収性本体２の長手方向Ｘに沿って前方領域Ｂから後方領域Ｃの全長に亘って設けられている。
【００２５】
サイドシート３１は、図２に示すように、幅方向Ｙの内方側において表面シート２１側に２つ折りされて、自由端部３１ｆを形成している。このように形成された自由端部３１ｆは、図３に示すように、２層領域となっており、その折返し部付近に伸長状態の弾性部材３２を長手方向Ｘに沿って固定している。ナプキン１において、サイドシート３１の２層領域は、表面シート２１の幅方向Ｙの外方端と略同じ位置まで、言い換えれば、後方フラップ４及びウイング部５に至らない範囲で形成されている。従って、後方フラップ４及びウイング部５それぞれは、１層のサイドシート３１及び裏面シート２２により形成されている（図３参照）。図３に示すように、サイドシート３１に配された伸長状態の弾性部材３２から幅方向Ｙ外方に離間した位置（サイドシート３１が２層領域となっている領域の幅方向Ｙ外方端部）においては、２層領域のサイドシート３１、表面シート２１及び裏面シート２２を熱融着して形成された接合部３３が配されている。接合部３３は、前方領域Ｂから後方領域Ｃに亘って吸収性本体２の長手方向Ｘに直線状に延びて形成されており、その幅方向Ｙの内方端（中心線ＣＬ側の端）が、サイドシート３１が起立する際の起立基端となる。また、接合部３３は、吸収性本体２と、後方フラップ４又はウイング部５との境界線となる。接合部３３は、ナプキン１においては、熱融着により形成されているが、ホットメルト等の接着剤等により形成されていてもよく、それらの併用であってもよい。
【００２６】
ナプキン１Ａにおいては、立体ギャザー３を起立させる観点から、サイドシート３１の自由端部３１ｆに弾性部材３２を１本配しており、１本の弾性部材３２を伸長状態で固定している。１本の弾性部材３２としては、糸状や帯状の天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる材自体が伸縮性を有する弾性材を用いることが好ましく、糸状の弾性材を用いた際のサイズとしては、４７０ｄｔｅｘ以下であることが好ましく、４００〜２８０ｄｔｅｘであることが更に好ましい。このようなサイズの弾性部材３２を、１０５％〜１７０％の伸長倍率となるように比較的低伸長状態で配することが好ましい。
【００２７】
また、サイドシート３１における弾性部材３２の前方端部の表面シート２１との固定部３４ｂが、排泄部前方の前方領域個装折り線Ｌ１よりも前方に位置し、サイドシート３１における弾性部材３２の後方端部の表面シート２１との固定部３４ｃが、最も後方寄りの後方領域第２個装折り線Ｌ３よりも後方に位置している。固定部３４ｂ，３４ｃにより、サイドシート３１の２層領域に固定された伸長状態の弾性部材３２の長手方向Ｘ両端部が、それぞれ、サイドシート３１を介して表面シート２１と固定され、弾性部材３２が伸長状態に保たれる。サイドシート３１における弾性部材３２は、弾性部材３２の前方端部の固定部３４ｂと弾性部材３２の後方端部の固定部３４ｃとの間において、表面シート２１と固定されておらず、立体ギャザー３は、吸収性本体２の長手方向Ｘに亘って連続して形成されている。固定部３４ｂ，３４ｃの形成方法としては、熱シール、超音波シールであってもよく、ホットメルト等の接着剤等により形成されていてもよく、それらの併用であってもよい。
【００２８】
一対の立体ギャザー３，３それぞれは、弾性部材３２の収縮による力でサイドシート３１の自由端部３１ｆが表面シート２１から離間して形成されている。
立体ギャザー３の収縮状態は、以下の測定法により測定することができる。
弾性部材３２は、長手方向Ｘにおいて、比較的低い伸長力で配置されていることが好ましく、具体的には２．５〜１０ｃＮであることが好ましく、３．０〜７．５ｃＮであることが更に好ましい。更に立体ギャザー３の長手方向Ｘにおける収縮率は、６g
荷重時で１５〜５％であることが好ましく、１２％〜７．５％であることが更に好ましい。サイドシート３１における弾性部材３２が、固定部３４ｂ及び固定部３４ｃの間において表面シート２１と固定されておらず、立体ギャザー３が、吸収性本体２の長手方向Ｘに亘って連続して形成されており、弾性部材３２の収縮力で起立しているので、立体ギャザーが起立し過ぎて、違和感を装着者に与え難い。
【００２９】
〔弾性材３２の伸長力と立体ギャザー３の収縮率の測定法〕
弾性材３２の伸長力については、テンシロン引張り試験機〔型番：ＲＴＡ−１００、（株）オリエンテック社製〕を用いて、ナプキンの長手方向Ｘに対応する方向に伸長させる。初期チャック間距離は、伸長前の自然長の状態で５０ｍｍとし、弾性材の両端部をそれぞれチャックに挟む。
次いで、クロスヘッド移動速度３００ｍｍ／ｍｉｎの条件で、伸長させ初期チャック間距離に対して、伸長率５％ごとの引っ張り力を読み取り引っ張り曲線を作成する。製品に配置する伸長率に合わせ引っ張り力を読み取り、伸長力とする。
立体ギャザー３の収縮率については、図２に示すように生理用ナプキンを伸長させて固定し、伸長状態の生理用ナプキンから伸長状態の立体ギャザー３を、伸長状態の弾性部材３２が固定された自由端部３１ｆが入るように、幅方向Ｙに３ｍｍ以上、長手方向Ｘに５０ｍｍの位置に目印を付け、その部位を含んだ状態で長手方向Ｘに７０ｍｍ以上にカットして取り出す。取り出したカットサンプルを５０ｍｍの目印の上端にクリップを取りけるなどして試験台に固定し、下端部にクリップと錘を吊り下げ荷重６ｇとしたときの伸長さ（Ｈ１）を測定する。
（Ｈ１−５０）×１００／５０＝収縮率（％）として、収縮率を算出する。
【００３０】
ナプキン１について詳述すると、弾性部材３２の前方端部の固定部３４ｂと排泄部前方の前方領域個装折り線Ｌ１との間隔は、前方寄りの前方領域個装折り線Ｌ１と隣り合う後方領域第１個装折り線Ｌ２と弾性部材３２の後方端部の固定部３４ｃとの間隔よりも短く形成されている。弾性部材３２の固定部３４ｂ，３４ｃと個装折り線Ｌ１，Ｌ２との配置関係が前述のように配されていることにより、ナプキン１においては、１本の弾性部材３２を低伸長状態で用いたとしても、立体ギャザー３が、吸収性本体２の長手方向Ｘに亘って連続して形成され易く、また、排泄部領域Ａより前に該当する前方領域Ｂでは比較的曲率が小さく、排泄部領域Ａより後方の後方領域Ｃでは曲率が大きい体の形状に沿いやすいナプキンの立体形状も提供できる。
【００３１】
また、ナプキン１について詳述すると、弾性部材３２の前方端部の固定部３４ｂと前方領域個装折り線Ｌ１との間隔は、立体ギャザー３が吸収性本体２の長手方向Ｘに亘って連続して起立し易い観点から、１０〜２５ｍｍであることが好ましく、１０〜１７．５ｍｍであることが更に好ましい。同様の観点から、前方領域個装折り線Ｌ１は、ナプキン１の長手方向Ｘの前方端（丸みを帯びたナプキン１の前方端部の先端）からの間隔が３５〜７０ｍｍであることが好ましく、５５〜７０ｍｍであることが更に好ましい。
弾性部材３２の後方端部の固定部３４ｃと最も後方寄りの後方領域第２個装折り線Ｌ３との間隔は、立体ギャザー３が吸収性本体２の長手方向Ｘに亘って連続して起立し易い観点から、１０〜２５ｍｍであることが好ましく、１０〜１７．５ｍｍであることが更に好ましい。同様の観点から、後方寄りの折れ線Ｌ３も、ナプキン１の長手方向Ｘの後方端（丸みを帯びたナプキン１の後方端部の先端）からの間隔が３５〜７０ｍｍであることが好ましく、５５〜７０ｍｍであることが更に好ましい。
【００３２】
一対の後方フラップ４，４それぞれには、後方フラップ４を下着に固定する下着固定用粘着部４１が配されており、下着固定用粘着部４１は、後方寄りの後方領域第２個装折り線Ｌ３よりも前方に位置している。詳述すると、ナプキン１においては、矩形状の下着固定用粘着部４１が、ナプキン１の長手方向Ｘにおいては、後方領域第２個装折り線Ｌ３よりも前方に配されており、ナプキン１の幅方向Ｙにおいては、接合部３３よりも外方であって、接合部３３と周縁シール部６との間に配されている。このような位置に後方フラップ４の下着固定用粘着部４１が配されていることにより、立体ギャザー３の起立性を維持しながら、後方フラップ４の捲れを防止することができる。
【００３３】
立体ギャザー３を構成するサイドシート３１は、図２に示すように、弾性部材３２の前方端部の固定部３４ｂよりも前方において、及び弾性部材３２の後方端部の固定部３４ｃよりも後方において、それぞれ、波状のシール線７により表面シート２１に固定されている。波状のシール線７を形成することにより、ナプキン１の長手方向Ｘの端部に剛性を付与でき、弾性部材３２によるナプキン１の長手方向Ｘの端部の捲れを防止することができる。このような観点から、シール線７のシール幅は、４〜８ｍｍであることが好ましく、７ｍｍ程度であることが更に好ましい。波状のシール線７の幅方向Ｙ内方側（中心線ＣＬ側）の振幅は、図２に示すように、少なくとも一部が、サイドシート３１の２つ折り端部を越えて内方（中心線ＣＬ寄り）に配されていることが好ましく、波状のシール線７の幅方向Ｙ外方側の振幅は、少なくとも一部が、接合部３３を越えて外方に配されていることが好ましい。シール線７は、その振幅が上記を満たせば、波状に限定されることなく、他の形状であってもよい。シール線７は、熱シール、超音波シールであってもよく、ホットメルト等の接着剤等により形成されていてもよく、それらの併用であってもよい。
【００３４】
上述したナプキン１の形成材料について説明する。
表面シート２１、裏面シート２２、吸収体２３としては、生理用ナプキン等の吸収性物品において従来用いられている各種の材料などを特に制限なく用いることができる。
例えば、表面シート２１としては、単層又は多層構造の不織布や、開孔フィルム等を用いることができる。裏面シート２２としては、液不透過性又は撥水性の樹脂フィルムや樹脂フィルムと不織布の積層体等を用いることができる。吸収体２３としては、パルプ繊維等の繊維の集合体（不織布であっても良い）又はこれに吸水性ポリマーの粒子を保持させてなる吸収性コアを、透水性の薄紙や不織布からなるコアラップシートで被覆したものや、各種公知のポリマーシート等を用いることができる。また、シート状の比較的薄い吸収体２３を用いることで、個装折り線Ｌ１，Ｌ２，Ｌ３は折り癖がつきやすくなり、より立体ギャザー３の起立性は向上する。
【００３５】
サイドシート３１としては、生理用ナプキン等の吸収性物品において従来用いられている各種の材料などを特に制限なく用いることができる。
例えば、サイドシート３１としては、液不透過性又は撥水性の樹脂フィルムや樹脂フィルムと不織布の積層体等を用いることができる。その他の材料としては、例えば、スパンボンド不織布、スパンボンド不織布（Ｓ）とメルトブロー不織布（Ｍ）とが複合化されたシート（例えばＳＭ、ＳＭＳ、ＳＭＭＳ等）、ヒートロール不織布、エアスルー不織布等の撥水性（疎水性）不織布が挙げられる。ＳＭ、ＳＭＳ、ＳＭＭＳ等の複合化されたシートを用いると、平滑性による滑らかな感触と、不織布物性（強度等）が良好であるため低目付での使用が可能となり、弾性部材が低伸長力で配置されても起立性が良好となる点で好ましく、エアスルー法により作られた不織布を用いると低坪量でも厚みが得られやすく、クッション性が良好となる点でギャザー起立性は更に良好となる。
また、ナプキン１においては、吸収性本体２における吸収体２３と裏面シート２２との間も接着剤によって接合することが好ましい。この接着剤は、スパイラルパターン等のパターン塗工によって低坪量に塗工することが好ましい。
【００３６】
上述した本発明の吸収性物品の実施形態であるナプキン１（以下、「ナプキン１」ともいう。）を使用した際の作用効果について説明する。
ナプキン１において、図１に示すように、立体ギャザー３を構成するサイドシート３１における弾性部材３２の前方端部の固定部３４ｂが、排泄部前方の前方領域個装折り線Ｌ１よりも前方に位置し、サイドシート３１における低伸長力で配置された弾性部材３２の後方端部の固定部３４ｃが、最も後方寄りの後方領域第２個装折り線Ｌ３よりも後方に位置しているので、立体ギャザー３は、弾性部材３２の収縮によりサイドシート３１の自由端部３１ｆが表面シート２１から離間して形成されている。その為、製品の略全長に亘って設けた立体ギャザー３がヨレ難く起立性も低下し難く、横漏れを防止できる。また、立体ギャザー３が使用時にめくれ難く、立体ギャザーが起立し過ぎることによるフィット感の低下も生じ難い。
【００３７】
また、ナプキン１においては、低伸長力で弾性材３２を配置することによってナプキン１Ａの特に長手方向Ｘの前端と後端が立体ギャザー３によって引っ張り上げられ、前端と後端部位に折れや捲れが生じることなく、体にフィットした立体形状の提供が可能となる。
【００３８】
本発明の吸収性物品は、上述の実施形態の生理用ナプキンに何ら制限されるものではなく、適宜変更可能である。
例えば、上述の実施形態の生理用ナプキン１においては、吸収性物品を折り曲げて個装する際に形成される３本の個装折り線Ｌ１，Ｌ２，Ｌ３を有しているが、３本に限られることなく、３本以上であればよい。
【００３９】
本発明の吸収性物品は、生理用ナプキン以外にも、例えば、失禁者用パッド、パンティーライナー等に好適に用いることができる。
【実施例】
【００４０】
以下、本発明を実施例により更に具体的に説明するが、本発明は斯かる実施例に限定されるものではない。
【００４１】
〔実施例１〕
実施例１では、上述した図１〜図３に示す生理用ナプキンを作製した。
表面シート２１は、図３に示すように、シート状の吸収体２３の上面の全域を被覆しており、吸収体２３の両側縁それぞれから若干延出した位置に直線状の両側縁を有している。裏面シート２２は、吸収体２３の下面の全域を被覆し、吸収体２３の両側縁それぞれから外方に延出した部分を有し、その延出部分が、サイドシート３１と共にナプキン１の両側部にサイドフラップを形成している。サイドフラップ部は、排泄部対向部Ａにおいて幅方向外方に大きく延出してウイング部５を形成し、後部領域Ｃにおいては、後方フラップ４を形成している。シート状の吸収体２３は、略長方形状に形成されており、表面シート２１と裏面シート２２との間に挟まれた状態で固定されている。用いたシート状の下部吸収体２３２の厚さは１．０ｍｍで、上部吸収体２３１は、厚さ１．５ｍｍであり、シート状の下部吸収体２３２に重ね合わせて用いた。
立体ギャザー３は、サイドシート３１の内側縁部付近に３１０ｄｔｅｘの１本の弾性部材３２を、１４０％の伸長倍率で、伸長力４．０ｃＮとなるように配し、該弾性部材３２を内側縁部で折り返したサイドシート３１で挟み、ホットメルト型粘着剤で固定した。
立体ギャザー３の収縮率は１０％であった。収縮率、伸長力は、上述した〔弾性材３２の伸長力と立体ギャザー３の収縮率の測定法〕に基づいて測定した。
弾性部材３２の前方端部の固定部３４ｂと前方領域個装折り線Ｌ１との間隔は、１５ｍｍであり、前方領域個装折り線Ｌ１は、ナプキン１の長手方向Ｘの前方端からの間隔が６５ｍｍであった。また、弾性部材３２の後方端部の固定部３４ｃと後方領域第２個装折り線Ｌ３との間隔は、１５ｍｍであり、折れ線Ｌ３は、ナプキン１の長手方向Ｘの後方端からの間隔が５５ｍｍであった。シール線７のシール幅は、７ｍｍであった。
【００４２】
〔実施例２〕
実施例２では、実施例１と同様に、上述した図１〜図３に示す生理用ナプキンを作製した。実施例２の生理用ナプキンは、実施例１の生理用ナプキンと比べて、弾性部材３２の固定部３４ｂ，３４ｃと個装折り線Ｌ１，Ｌ３との間隔、及び個装折り線Ｌ１，Ｌ３の配置位置を変更する以外は、実施例１と同様にして作製した。
具体的には、弾性部材３２の前方端部の固定部３４ｂと個装折り線Ｌ１との間隔は、１０ｍｍであり、前方領域個装折り線Ｌ１は、ナプキン１の長手方向Ｘの前方端からの間隔が４５ｍｍであった。また、弾性部材３２の後方端部の固定部３４ｃと後方領域第２個装折り線Ｌ３との間隔は、２５ｍｍであり、折れ線Ｌ３は、ナプキン１の長手方向Ｘの後方端からの間隔が６５ｍｍであった。
【００４３】
〔比較例１〕
比較例１では、実施例１と同様に、生理用ナプキンを作製した。比較例１の生理用ナプキンは、実施例１の生理用ナプキンと比べて、弾性部材３２の固定部３４ｂ，３４ｃの間で後方領域第１個装折り線Ｌ２より製品後方に１５ｍｍの位置に中間固定部３４ｄを設けている。固定部３４ｂ，３４ｃと個装折り線Ｌ１，Ｌ３との間隔、及び個装折り線Ｌ１，Ｌ３の配置位置は、実施例１と同様にして作製した。
具体的には、弾性部材３２の前方端部の固定部３４ｂと個装折り線Ｌ１との間隔は、１５ｍｍであり、前方領域個装折り線Ｌ１は、ナプキン１の長手方向Ｘの前方端からの間隔が６５ｍｍであった。また、弾性部材３２の後方端部の固定部３４ｃと後方領域第２個装折り線Ｌ３との間隔は、１５ｍｍであり、折れ線Ｌ３は、ナプキン１の長手方向Ｘの後方端からの間隔が５５ｍｍであった。
【００４４】
〔比較例２〕
比較例２では、実施例１と同様に、生理用ナプキンを作製した。比較例２の生理用ナプキンは、実施例１の生理用ナプキンと比べて、弾性部材３２の固定部３４ｂ，３４ｃと個装折り線Ｌ１，Ｌ３との間隔、及び個装折り線Ｌ１，Ｌ３の配置位置を変更する以外は、実施例１と同様にして作製した。
具体的には、弾性部材３２の前方端部の固定部３４ｂと個装折り線Ｌ１との間隔は、３０ｍｍであり、前方領域個装折り線Ｌ１は、ナプキン１の長手方向Ｘの前方端からの間隔が６５ｍｍであった。また、弾性部材３２の後方端部の固定部３４ｃと後方領域第２個装折り線Ｌ３との間隔は、７ｍｍであり、折れ線Ｌ３は、ナプキン１の長手方向Ｘの後方端からの間隔が５５ｍｍであった。
【００４５】
〔評価〕
実施例１〜２、比較例１〜２の各生理用ナプキンについて、下記の方法により、立体ギャザーの起立性について評価した。これらの結果を下記表１に示す。
【００４６】
＜起立性の評価＞
下記を基準に判定した。
曲率半径１１ｃｍの湾曲を有する斜面台の底辺の接点Ｓ１をナプキンの排泄部領域Ａの長手方向Ｘにおける略中央に位置する部位に位置をあわせて静置し（図４参照）、同じく、排泄領域Ａの略中央に位置するナプキン本体の表面からメジャーを用いて立体ギャザーの自由端部３１ｆが起立した高さ（Ｔ１）を測定する。また、後部領域Ｃにおいて、後方領域第２個装折り線Ｌ３より１５ｍｍ前方の位置で同様にして立体ギャザー高さ（Ｔ２）を測定する。製品前端部および後端部の捲れや折れが発生することなくＴ１、Ｔ２共にその高さが５ｍｍ以上あれば、起立性は良好（◎）、３ｍｍ以上であれば、やや良好（○）であると判断する。高さが３ｍｍ未満および、製品前端部および後ろ端部の捲れや折れが発生した場合は、起立性がよくなく（×）、フィット性が低下し、ギャザーによる漏れ防止効果は期待できない。
【００４７】
【表１】
0005947517.tif 000002
【００４８】
表１の結果から明らかなように、実施例１〜２の生理用ナプキンは何れも、比較例１〜２の生理用ナプキンに比べて、立体ギャザー３の起立性が優れていることが分かった。
【符号の説明】
【００４９】
１  生理用ナプキン（吸収性物品）
２  吸収性本体
２Ｓ  側部
２１  表面シート
２２  裏面シート
２３  吸収体
２３１  上部吸収体
２３２  下部吸収体
２４  圧搾溝
２４１  中央圧搾溝
２４２  前方圧搾溝
２４３  後方圧搾溝
３  立体ギャザー
３１  サイドシート
３１ｆ  自由端部
３２  弾性部材
３３  接合部
３４ｂ，３４ｃ  固定部
４  後方フラップ
４１  下着固定用粘着部
５  ウイング部
５１  ズレ止め剤
６  周縁シール部
７  波状のシール線
Ｌ１  前方領域個装折り線、Ｌ２  後方領域第１個装折り線、Ｌ３  後方領域第２個装折り線
Ａ  排泄部領域，Ｂ  前方領域，Ｃ  後方領域
【図１】
0005947517.tif 000003
【図２】
0005947517.tif 000004
【図３】
0005947517.tif 000005
【図４】
0005947517.tif 000006